(57)【要約】      （修正有）【課題】取付けのための部材が安価に製造でき、メータボックスへの取付けが簡単で、メータボックスへ荷重が掛かっても配管に折損などが生じない、メータユニットのメータボックスへの取付け構造を提供する。【解決手段】ベースと、ベース上の上流部及び下流部にそれぞれ取付けられた止水栓５、逆止弁などの水道用機材を備えているメータユニット１をメータボックス４１内に配置して取付ける取付け構造である。上流部及び下流部の水道用機材の上流側及び下流側へそれぞれ延びる筒部８ａに、弾性材料で形成されたリング状の土留め１１を嵌め、土留めをメータボックスを構成する底板４２と本体５１とにそれぞれ形成された穴下部４５と穴上部５３とで構成される取付け穴６１に嵌合することにより、メータユニットをメータボックスに取付けることを特徴とする。【選択図】図３
0003191037.tif 000002
【実用新案登録請求の範囲】
【請求項１】
ベースと、該ベース上の上流部及び下流部にそれぞれ取付けられた止水栓、逆止弁などの水道用機材を備えているメータユニットにおいて、前記上流部及び下流部の前記水道用機材の上流側及び下流側へそれぞれ延びる筒部に、前記メータユニットが収受されるメータボックスを構成する底板と本体とにそれぞれ形成された穴下部と穴上部とで構成される取付け穴に嵌合する、弾性材料で形成されたリング状の土留めを備えていることを特徴とする、メータユニット。
【請求項２】
ベースと、該ベース上の上流部及び下流部にそれぞれ取付けられた止水栓、逆止弁などの水道用機材を備えているメータユニットをメータボックス内に配置して取付ける取付け構造において、前記上流部及び下流部の前記水道用機材の上流側及び下流側へそれぞれ延びる筒部に、弾性材料で形成されたリング状の土留めを嵌め、該土留めを前記メータボックスを構成する底板と本体とにそれぞれ形成された穴下部と穴上部とで構成される取付け穴に嵌合することにより、前記メータユニットを前記メータボックスに取付けることを特徴とする、メータユニットのメータボックスへの取付け構造。
【請求項３】
請求項２記載の取付け構造において、前記土留めはスポンジゴムで形成されていることを特徴とする、メータユニットのメータボックスへの取付け構造。
【請求項４】
請求項２又は３記載の取付け構造において、さらに、前記メータユニットのベースの両側端部と、該両側端部がそれぞれ対向するメータボックスの側壁部との間にそれぞれ前記ベースと前記側壁とに当接して配置され、前記メータユニットをその長手方向において前記メータボックスに対して位置決めし、且つ前記メータユニットのその長手方向での移動に対して緩衝材として作用する、弾性材料製の緩衝部材を備えていることを特徴とする、メータユニットのメータボックスへの取付け構造。
【請求項５】
請求項４記載の取付け構造において、前記土留めと前記緩衝部材とは一体に形成されていることを特徴とする、メータユニットのメータボックスへの取付け構造。
【考案の詳細な説明】
【技術分野】
【０００１】
本願考案は、ベースに止水栓、逆止弁等を取付けたメータユニット及び該メータユニットをメータボックス内に配置するための取付け構造に関する。さらに詳細に言えば、埋設型のメータユニット及び該埋設型メータユニットをメータボックス内に配置する取付け構造に関する。
【背景技術】
【０００２】
従来から、ベースに止水栓、逆止弁などの水道用機材を取付けてユニット化した水道用メータユニットが使用されており、その中にいわゆる埋設型のメータユニットがある。メータユニットはメータボックス内に配置され、その両端部において一次側及び二次側の配管に接続される。そしてメータユニットの水道用機材の間にメータを設置することにより、容易に水道用メータの設置及び保守、点検が行え、作業の効率化を図ることができる。
【０００３】
このようにユニット化されたメータ、止水栓、逆止弁等をメータボックスで直接支持する構成が例えば特許第３５４２９４７号に開示されている。そこには嵌合着合部を有する環状の枠体であるメータユニットフレームが使用され、メータユニットはその上下流端部がメータユニットフレームの嵌合着合部に着合して装着されている。そしてこのメータユニットフレームはメータボックスの上流側箱体と下流側箱体で挟持され、メータボックスと一体化される。
【０００４】
ところで、例えば車がその上に載るなどしてメータボックスに対して上から大きな荷重が掛かった場合、瞬間的或いは一時的であるかもしれないが、メータボックスが地中に沈み込む場合がある。この際、上述したメータユニット及びメータボックスにおいては、メータユニットがメータボックスに対して固定的に配置されているので、メータユニットもメータボックスと一緒に下方へ移動し、メータユニットとその上下流の配管との接続箇所を折損する可能性がある。
【０００５】
この点を考慮したものとして、特許第４９６０１２８号がある。これに開示された発明においては、メータユニットを金属板などの弾性材料で作った支持部材の載置部の上に載置固定し、この支持部材の取付け部をメータボックスの底板の上に載置して取付ける構成となっている。そして、支持部材の載置部と取付け部との間に連結部を設け、載置部がメータボックスに対して上下動できるようにしている。
【０００６】
しかしながら上記の特許第４９６０１２８号の構成では、支持部材としてはステンレス製のものなどを使用する必要があり、さらにはその加工コスト、メータユニットの取付けなどの作業コストが掛かり、価格が高くなってしまうという問題がある。
【考案の概要】
【考案が解決しようとする課題】
【０００７】
本願考案は上記従来の問題点に鑑みなされたものであり、取付けのための部材が安価に製造でき、メータボックスへの取付けが簡単で、メータボックスへ荷重が掛かっても配管に折損などが生じない、メータユニット及び該メータユニットのメータボックスへの取付け構造を提供することを課題とする。
【課題を解決するための手段】
【０００８】
上記課題を解決するために本願考案は、以下のメータユニットを提供する。すなわち、
ベースと、該ベース上の上流部及び下流部にそれぞれ取付けられた止水栓、逆止弁などの水道用機材を備えているメータユニットにおいて、前記上流部及び下流部の前記水道用機材の上流側及び下流側へそれぞれ延びる筒部に、前記メータユニットが収受されるメータボックスを構成する底板と本体とにそれぞれ形成された穴下部と穴上部とで構成される取付け穴に嵌合する、弾性材料で形成されたリング状の土留めを備えている特徴とする、メータユニットである。
本願考案はさらに以下のメータユニットのメータボックスへの取付け構造を提供する。すなわち、
ベースと、該ベース上の上流部及び下流部にそれぞれ取付けられた止水栓、逆止弁などの水道用機材を備えているメータユニットをメータボックス内に配置して取付ける取付け構造において、前記上流部及び下流部の前記水道用機材の上流側及び下流側へそれぞれ延びる筒部に、弾性材料で形成されたリング状の土留めを嵌め、該土留めを前記メータボックスを構成する底板と本体とにそれぞれ形成された穴下部と穴上部とで構成される取付け穴に嵌合することにより、前記メータユニットを前記メータボックスに取付けることを特徴とする、メータユニットのメータボックスへの取付け構造を提供する。
上記において、前記土留めはスポンジゴムで形成されていることを特徴とする、メータユニットのメータボックスへの取付け構造を提供する。
上記において、さらに、前記メータユニットのベースの両側端部と、該両側端部がそれぞれ対向するメータボックスの側壁部との間にそれぞれ前記ベースと前記側壁とに当接して配置され、前記メータユニットをその長手方向において前記メータボックスに対して位置決めし、且つ前記メータユニットのその長手方向での移動に対して緩衝材として作用する、弾性材料製の緩衝部材を備えていることを特徴とする、メータユニットのメータボックスへの取付け構造を提供する。
上記において、前記土留めと前記緩衝部材とは一体に形成されていることを特徴とする、メータユニットのメータボックスへの取付け構造を提供する。
【考案の効果】
【０００９】
上記から明らかなとおり、本考案によれば、メータユニットは、上流側及び下流側へ延びる筒部に嵌められた弾性材料製、さらに具体的にはスポンジゴム性の土留めを、メータボックスに形成される穴に嵌合することによりメータボックスに取付けられるので、メータボックスに力が作用してメータボックスの下方へ動いても、土留めがその動きを吸収するので、上下流の配管に接続されたメータユニットにはメータボックスからの大きな力は作用しない。従って、上下流側の配管との接続部等に損傷を生じることはない。また、本考案に係る土留めは安価に製造することができ、また、メータユニットへの取付け、メータユニットのメータボックスへの取付け作業も簡単であるので、安価な取付け構造を提供できる。
【図面の簡単な説明】
【００１０】
【図１】本考案に係るメータユニットを示す図である。
【図２】本考案に係る土留めの一例を示す図である。
【図３】メータユニットをメータボックスの取付けたときの一次側の状態を示す図である。
【図４】メータユニットをメータボックスに取付けたときの二次側の状態を示す図である。
【図５】土留めの他の例を示す図である。
【図６】土留めのさらに他の例を示す図である。
【図７】緩衝部材の他の例を示す図である。
【考案を実施するための形態】
【００１１】
以下に図面を参照して本願考案の実施の形態について説明する。図１は、本実施の形態に用いられるメータユニット１を示す図で、（イ）は平面図、（ロ）は正面図である。符号３は例えば金属などの剛性を有する素材で作られたベースであり、この実施の形態では、その上流部には止水栓５が、下流部には逆止弁７が取付けられ、それらの間にメータＭが取付けられるようになっている。符号６はメータＭを着脱する際に使用される着脱装置である。止水栓５の上流側には止水栓の一部と見做すことのできる一次側継手８が取付けられている。また、逆止弁８は、一体に形成された二次側配管部９を備えている。このようなメータユニットは周知であるので、これ以上の詳細な説明は省略する。
【００１２】
符号１１は一次側土留め（以下単に「土留め」という。）である。これについては図２も参照して説明する。図２の（イ）は平面図、（ロ）は正面図、（ハ）は右側面図である。土留め１１は大別して土留め部１２と緩衝部１７とで構成される。土留め部１２は図示のとおり全体としては上下方向が若干長い長円形をしており、その幅（厚み）方向の略中央部に環状の浅い溝が全周に渡って形成され、後述するメータボックスの穴に対応した形状の嵌合部１３を構成しており、その左右に外側フランジ１４と内側フランジ１５が形成されている。そして土留め部１２を貫いて穴１６が形成されている。この穴１６は前述の一次側継手の筒部８aの外径に等しい内径を有し、図１に示すようにその筒部８aに嵌るようになっている。緩衝部１７は土留め部１２の下側の部分から図１において右側へ延びて形成され、立方体の形状をしている。この緩衝部１７は、メータユニット１のベース３の左側端部に当たるようになっている。
【００１３】
メータユニット１の逆止弁７の二次側配管部９には二次側土留め２１が取付けられている（図１参照）。この二次側土留め２１は一次側土留め１１対して略線対称の形状をしており、土留め部２２と緩衝部２３とからなっている。土留め部２２に形成された穴は逆止弁７の二次側配管部９に嵌り、その緩衝部２３はベース３の右側端部に当たるようになっている。この二次側の緩衝部２３は、一次側土留め１１の緩衝部１７より若干長くなっている。上記の一次側土留め１１、二次側土留め２１はいずれもエチレンプロピレンゴム（ＥＰＤＭ）、ニトリルゴム（ＮＢＲ）、クロロプレンゴム（ＣＲ）などを素材とした発砲ゴム或いはスポンジゴムであり、非常に弾力性に富んだやわらかい部材になっている。
【００１４】
図３は上記のメータユニット１をメータボックス４１の中に配置した状態を示す部分断面図であり、一次側を示している。メータボックス４１は平面視略四角形の底板４２を備え、その底板４２はメータユニット１が載置される載置部４３と、載置部４３の周縁部で上側へ短く立ち上がった側壁部４４とを備えている。そしてメータユニット１の長手方向と直交する方向に広がる側壁部４４aには、前述の土留め１１の土留め部１２の嵌合部１３の形状に対応した長孔６１の下側部分を形成する穴下部４５が外側へ向かって短く突出して形成されている。
【００１５】
符号５１はメータボックス４１の本体部であり、底板４２の上に載置される。本体部５１も平面視略四角形の形になっており、４個の側壁部５２で形成される。そして、底板４２の側壁部４４aに対応する側壁部５２aには、穴下部４５と一緒になって長孔６１を形成する穴上部５３が形成されている。
【００１６】
メータユニット１を底板４２の上に位置決めして載置し、本体部５１を底板４２の上に載せると、穴下部４５と穴上部５３により形成される長孔６１に土留め１１の土留め部１２が嵌ることになる。この時、土留め１１の内側フランジ１５は図示のように押しつぶされ、下側では緩衝部１７の一部も一緒に押しつぶされ、底板４２の穴下部４５の部分が土留め１１に食い込む形となり、位置決めするような形になる。そして緩衝部１７の内側端部はベース３の左側に当接するようになっている。緩衝部１７は、メータユニット１のメータボックス４１に対する位置決めをするとともに、メータユニット１の長手方向での移動に対して緩衝材として機能する。
【００１７】
図４は上記のメータユニット１をメータボックス４１の中に配置した状態を示す部分断面図であり、二次側を示している。ここには土留め部２２と緩衝部２３とを備えた二次側土留めが使用されている。二次側土留め２１の構成、二次側での土留め２１を介してのメータボックス４１への取付け方、緩衝部２３の機能などについては、上記の一次側の説明から明らかであるので、省略する。
【００１８】
図５及び図６は他の実施の形態に係る土留め７１，８１をそれぞれ示す正面図（イ）と側面図（ロ）であり、いずれも前述の土留め１１の土留め部１２に対応する部分だけで形成され、図７（イ）正面図、（ロ）側面図に示す緩衝部材９１とともに使用される。いずれについても先に説明した例から明らかであるので、詳細な説明は省略する。
【図１】
0003191037.tif 000003
【図２】
0003191037.tif 000004
【図３】
0003191037.tif 000005
【図４】
0003191037.tif 000006
【図５】
0003191037.tif 000007
【図６】
0003191037.tif 000008
【図７】
0003191037.tif 000009